(57)【特許請求の範囲】
【請求項１】
所定のデューティーで発光する発光素子からの光ビームによって感光体上に画像形成を行う画像形成装置において、
形成画像の濃度を設定する濃度設定手段と、
前記濃度設定手段によって画像形成濃度が標準に対して変更された場合に、画像データ中の各注目画像のオブジェクト情報から、当該注目画像の文字フォントが所定サイズより小さいデューティー変更条件に該当するか否かを判定する判定手段と、
前記判定手段による判定が肯定された注目画像を形成する光ビームに対して、前記画像形成濃度が高い方に変更された場合には前記所定のデューティーを低下させ、前記画像形成濃度が低い方に変更された場合には前記所定のデューティーを増加させる変更手段とを備えた画像形成装置。
【請求項２】
所定のデューティーで発光する発光素子からの光ビームの走査によって感光体上に画像形成を行う画像形成装置において、
形成画像の濃度を設定する濃度設定手段と、
前記濃度設定手段によって画像形成濃度が標準に対して変更された場合に、画像データ中の各注目画像のオブジェクト情報から、当該注目画像の文字フォントが抜き文字であって、所定サイズより小さいデューティー変更条件に該当するか否かを判定する判定手段と、
前記判定手段による判定が肯定された注目画像の文字フォントの周囲の隣接ピクセルへの光ビームに対して、前記画像形成濃度が高い方に変更された場合には前記所定のデューティーを低下させ、前記画像形成濃度が低い方に変更された場合には前記所定のデューティーを増加させる変更手段とを備えた画像形成装置。
【請求項３】
所定のデューティーで発光する発光素子からの光ビームの走査によって感光体上に画像形成を行う画像形成装置において、
形成画像の濃度を設定する濃度設定手段と、
前記濃度設定手段によって画像形成濃度が標準に対して変更された場合に、画像データ中の各注目画像のオブジェクト情報から、当該注目画像の文字フォントが抜き線であって、線幅が所定サイズより小さいデューティー変更条件に該当するか否かを判定する判定手段と、
前記判定手段による判定が肯定された注目画像の文字フォントの周囲の隣接ピクセルへの光ビームに対して、前記画像形成濃度が高い方に変更された場合には前記所定のデューティーを低下させ、前記画像形成濃度が低い方に変更された場合には前記所定のデューティーを増加させる変更手段とを備えた画像形成装置。
【請求項４】
前記デューティーの変更は、前記所定のデューティーに対して２０％の増減であることを特徴とする請求項１〜３のいずれかに記載の画像形成装置。
【発明の詳細な説明】
【技術分野】
【０００１】
本発明は、所定のデューティーで発光する発光素子からの光ビームによって感光体上に画像形成を行う画像形成装置に関する。
【背景技術】
【０００２】
文書作成では、異なる種類のフォントやサイズの文字が混在した文書が作成可能なアプリケーションソフトウェアが使用される。この場合、入力された文字（文字コード）毎に、文字の属性を表すオブジェクト情報が対応付けられている。オブジェクト情報は、画面表示時の他、プリント時に参照されてレーザプリンタによる出力状態に反映されている。一方、文書中にサイズの異なる文字が混在する場合、プリント時において、主に小サイズの文字の再現が充分でないという問題がある。
【０００３】
特許文献１には、文字属性判別部によって文字サイズが８ポイント以上と判別された場合にはディザ処理を行う一方、８ポイント未満と判別された場合、その文字に関しては６００ｄｐｉダイレクトを選択することにより、文字サイズによらず良好な文字再現性、すなわち小文字の良好な認識性を確保し、大文字の濃度の均一性を保持することが記載されている。また、特許文献２，３には、画像の形状に応じてレーザビームの強度を変更することで、入力された画像データの形状やサイズによらず、細線の細りやドットのかすれを抑制して適正な出力画像を得ることが記載されている。
【先行技術文献】
【特許文献】
【０００４】
【特許文献１】特開２００６−１５９４８０号公報
【特許文献２】特開２００４−２４３５７０号公報
【特許文献３】特開２００４−２３７５３１号公報
【発明の概要】
【発明が解決しようとする課題】
【０００５】
ところで、入力された文書を所望の太さで再現するなどの場合に、レーザパワーを変更することが行われるが、その際、線を太くする目的でレーザパワーを増大させると濃度が上がって線が太くなるものの、小サイズの文字については文字のつぶれが生じ、抜き線についてはつぶれが生じるなどの相反する現象が発生する。逆に、線を細くする目的でレーザパワーを低下させると、濃度が下がって小サイズの文字については文字のかすれが発生し、また最小ラインの線が途切れるなどの相反する現象が発生する。しかしながら、特許文献１には、文字フォントのサイズによってディザ処理と６００ｄｐｉダイレクトという異なる描画方法を切り換える技術が記載されているが、プリント濃度との関係において描画処理の変更を行うものは記載されていない。特許文献２，３は、文字サイズ等に応じてレーザビームの強度を変更するもので、プリント濃度との関係において描画処理の変更を行うものは記載されていない。
【０００６】
本発明は、上記課題に鑑みてなされたもので、画像形成濃度が所定の濃度に対して変更された場合でも文字フォントのサイズや図形の線幅に関わらず画像を適正に再現することができる画像形成装置を提供するものである。
【課題を解決するための手段】
【０００７】
本発明は、所定のデューティーで発光する発光素子からの光ビームによって感光体上に画像形成を行う画像形成装置において、形成画像の濃度を設定する濃度設定手段と、前記濃度設定手段によって画像形成濃度が標準に対して変更された場合に、画像データ中の各注目画像のオブジェクト情報から、当該注目画像がサイズ及び線幅の少なくとも一方を含むデューティー変更条件に該当するか否かを判定する判定手段と、前記判定手段による判定が肯定された注目画像を形成する光ビームに対して、前記画像形成濃度が高い方に変更された場合には前記所定のデューティーを低下させ、前記画像形成濃度が低い方に変更された場合には前記所定のデューティーを増加させる変更手段とを備えたものである。
【０００８】
本発明によれば、画像形成濃度が標準に対して変更された場合に、判定手段によって、画像データ中の文字フォントや線画等の注目画像が小サイズ及び狭い線幅の少なくとも一方を含むデューティー変更条件に該当するか否かが判定される。そして、デューティー変更条件に該当すると、画像形成濃度が高い方に変更された場合には、変更手段によって注目画像を形成する光ビームに対して前記所定のデューティーを低下させ、前記画像形成濃度が低い方に変更された場合には、変更手段によって注目画像を形成する光ビームに対して前記所定のデューティーを増加させる。従って、画像形成濃度が高い方に変更された場合、小サイズの文字のつぶれの発生が抑制され、狭い線幅を有する抜き線の抜けが確保されるなど、再現性が確保される。一方、画像形成濃度が低い方に変更された場合、小サイズの文字のかすれの発生が抑制され、狭い線幅を有する線や斜め線の欠けの発生が抑制されるなど、再現性が確保される。なお、変更手段は、注目画像が文字フォントや線画の場合には、その画像に対してデューティー制御を行い、また、注目画像が文字フォントの抜き文字の場合や抜き線の場合には、抜き文字、抜き線のピクセルに隣接するピクセルに対してデューティー制御を施すことで、再現性の高い注目画像を形成する。
【０００９】
また、前記デューティー変更条件として文字フォントのサイズが９ポイント未満であるとすると、特に再現性に影響が現れる８ポイントの文字に対して視認性が確保される。
【００１０】
また、前記デューティー変更条件として線画の線幅が２ピクセル以下であるとすると、特に再現性に影響が現れる２ピクセルの線画に対して視認性が確保される。
【００１１】
また、前記デューティーの変更は、前記所定のデューティーに対して２０％の増減であることを特徴とする。この構成によれば、特にレーザ素子にあっては２０％のデューティー増減によって、小サイズの文字、狭幅の線画に対する再現性の確保が図れる。
【発明の効果】
【００１２】
本発明によれば、画像形成濃度が所定の濃度に対して変更された場合でも文字フォントのサイズや図形の線幅に関わらず画像を適正に再現することができる。
【図面の簡単な説明】
【００１３】
【図１】本発明の画像形成装置の概略構成を示す側面断面図である。
【図２】プリント機能部の一例を示すブロック図である。
【図３】デューティー調整と出力との関係の一例を示す特性図である。
【図４】デューティー調整の第１実施形態を示すフローチャートである。
【図５】デューティー調整の第２実施形態を示すフローチャートである。
【図６】抜き文字に対するデューティーダウン処理の内容を説明する図である。
【図７】抜き文字に対するデューティーアップ処理の内容を説明する図である。
【図８】レーザ素子における文字フォントの視認性評価の結果を示す図表である。
【図９】レーザ素子における抜け文字の視認性評価の結果を示す図表である。
【図１０】レーザ素子における線画の視認性評価の結果を示す図表である。
【図１１】第３実施形態であるＬＥＤ素子における文字フォントの視認性評価の結果を示す図表である。
【図１２】第３実施形態であるＬＥＤ素子における抜け文字の視認性評価の結果を示す図表である。
【図１３】第３実施形態であるＬＥＤ素子における線画の視認性評価の結果を示す図表である。
【発明を実施するための形態】
【００１４】
図１に示すように、画像形成装置は、画像形成部１０、中間転写部２０、二次転写部３０、定着部４０、給紙部５０、用紙搬送路６０を備える。また、必要に応じて、原稿画像を読み取る読取部７０及び自動原稿搬送装置８０を搭載している。画像形成装置は、原稿から読み取った画像信号、あるいは図外の情報処理装置に搭載されているアプリケーションソフトウェアによって作成された文書ファイルや画像ファイル、又は外部記憶部に格納されている文書ファイルや画像ファイルを受信して記録紙上への印字（プリント）を行う。
【００１５】
画像形成部１０は、印字のための画像データを作成するプリンタ回路部９０（図２参照）を備えると共に、レーザ走査ユニット１及びそれぞれ同様な構造を有する各色の画像形成部１０Ａ〜１０Ｄを備えている。レーザ走査ユニット１は、筐体を有し、その内部に色毎にレーザ素子、レーザ光走査用のポリゴンミラー等の光学部品が配置されている。プリンタ回路部９０は、画像データを各色の、あるいは単色の印字用の画像データに変換する回路構成部で、詳細は図２で説明する。レーザ走査ユニット１は、変換後の各色の画像データに対応して変調されたレーザ光で画像形成部１０Ａ〜１０Ｄの感光体ドラム２Ａ〜２Ｄの表面を軸方向（主走査方向）に沿って露光走査して、それぞれの静電潜像を形成する。代表して説明する画像形成部１０Ａは、感光体ドラム２Ａを備え、その周囲に回転方向（副走査方向）に沿って帯電器３Ａ、現像器４Ａ及びクリーナ部５Ａを備えている。
【００１６】
中間転写部２０は、中間転写ベルト２１、駆動ローラ２２、従動ローラ２３、一次転写ローラ２４Ａ〜２４Ｄを備え、感光体ドラム２Ａ〜２Ｄの周面に形成されたトナー像を中間転写ベルト２１の表面に一次転写する。二次転写部３０は、中間転写ベルト２１の表面のトナー像を記録紙へ二次転写する。定着部４０は、記録紙に転写されたトナー像を加熱して定着し、排紙トレイに排出する。給紙部５０は、給紙カセットや手差しトレイを備えており、選択された記録紙を、対応する給紙カセットから用紙搬送路６０に給紙する。
【００１７】
図２において、プリンタ回路部９０は、レーザ走査ユニット１の上流側に設けられ、画像データ処理部９１と、ビットマップ処理部９２と、階調補正等処理部９３と、面積階調処理部９４とを備えている。プリンタ回路部９０は、読取部７０で読み取った画像ファイルの印字を行う他、パーソナルコンピュータ等の情報処理装置で作成され、あるいは記憶部に格納されている文書ファイルやグラフィックで作画された図形ファイル等の印字も行う。特に、後者の文書ファイルや図形ファイルについては、文字フォントは、個々の属性を示す情報であるオブジェクト情報と対応付けて、また線画は、個々の属性を示す情報であるオブジェクト情報と対応付けて記録されており、印字処理は、これらのオブジェクト情報を参照して行われる。
【００１８】
以下では、これら文書ファイルや図形ファイルの印字処理を、図２に示すプリンタ回路部９０と、プリンタ回路部９０の動作を制御するプリンタ制御部１００とで行う場合について説明する。
【００１９】
画像データ処理部９１は、プリント指示された文書ファイルを取り込んで属性情報であるオブジェクト情報を用いて印字データを作成する。オブジェクト情報には、文字フォントの種類、サイズ（ポイント値、ただし、１ポイント＝（１／７２）インチ）、カラー等の属性情報が含まれる。図形の場合には、線幅（ピクセル数）、カラー等の属性情報が含まれる。
【００２０】
ビットマップ処理部９２は、印字データを本画像形成装置が印字処理できるデータ様式であるビットマップデータに変換するものである。階調補正等処理部９３は、階調補正の他、原稿種別に対応する処理、色補正、空間フィルタ処理を施すものである。面積階調処理部９４は、ビットマップデータを印字形式、例えばディザ表現形式等に対応する各階調で再現できるように処理する。より詳細には、ビットマップデータを所定数に分割したマス目のそれぞれに０、１で対応させたディザデータに変換して、レーザ走査ユニット１のレーザ素子に出力するものである。レーザ走査ユニット１のレーザ素子は、ＰＷＭ（Pulse Width Modulation）、すなわちディザ処理の各マス目をレーザ光が走査する時間に対応する周波数でオンオフする所定のデューティーを有するパルスで駆動制御されるもので、オン期間中に発光される。デューティー（比率）は予め設定されており、例えばオンデューティー８０％である。すなわち、信号があるマス目は、オンデューティー８０％のレーザビームが照射される。
【００２１】
記憶部１００ａは、プリンタ回路部を駆動するための制御プログラム及び制御に必要なデータが格納されたデータメモリ部及び情報処理内容を一時的に記憶するワークメモリ部を有する。操作部１１０は、例えばパッチパネル等から構成され、作業者によって、例えば画像形成濃度（レーザパワー）その他の各種の指示を行うものである。レーザパワーの設定は、例えば操作部１１０に複数レベルが選択可能に表示されており、通常は標準値が表示され、優先して設定されている。一方、作業者が標準値に対して高い方となる、あるいは低い方となる所望するレーザパワーを選択した場合には、標準値に代えて選択されたレーザパワーが設定される。
【００２２】
プリンタ制御部１００は、ＣＰＵ（中央演算処理部）を有し、制御プログラムを実行することで、オブジェクト情報取得部１０１、レーザパワー取得部１０２、判定部１０３及びデューティー調整部１０４として機能する。オブジェクト情報取得部１０１は、印字対象の文書ファイル内の各文字フォントに対応するオブジェクト情報を読み取る。レーザパワー取得部１０２は、例えば操作部１１０からのレーザパワーの設定内容を読み取る。
【００２３】
判定部１０３は、印字対象の文書ファイル内の文字フォントが、所定サイズに対して大きいか小さいか、例えばポイント８ポイント以下か否か（すなわち９ポイント未満か否か）の判定を各文字フォントに対して行う。また、判定部１０３は、印字対象の文書ファイルに対するレーザパワーが標準値に対して高い値か、あるいは低い値が選択されているかの判定を行う。デューティー調整部１０４は、判定部１０３の判定結果によって、レーザ走査ユニット１のレーザ素子のデューティーを調整する。
【００２４】
デューティー調整は、判定部１０３によって、文書ファイルのレーザパワーの設定が標準値とは異なり、かつ文字フォントのサイズが８ポイント以下の文字に対して行われる。従って、少なくともいずれか一方の条件しか満たさない場合にはデューティー調整は行われない。デューティー調整は、図３に示すように、例えばデフォルトがオンデューティー８０％の場合に、レーザパワーがアップされる方向への調整では、アップレベルに関わらず、デューティー６０％に変更され、逆に、レーザパワーがダウンされる方向への調整では、ダウンレベルに関わらず、デューティー１００％に変更される。
【００２５】
なお、オンデューティー８０％のデフォルト、調整後のデューティー１００％、６０％の各値は一例であって、これに限定されない。また、調整値は一定値に限らず、レーザパワーが標準値からアップ、あるいはダウンされる程度に対応して、複数段階でデューティーが異なるように設定してもよい。この場合、設定内容は、記憶部１００ａにテーブルとして読み出し可能に記憶しておけばよい。
【００２６】
図４の第１実施形態に示す「印字処理Ｉ」において、ある文書ファイルに対して印字指令が発生すると、当該文書ファイルを作成したアプリケーションが読み出されて、対象の文書ファイルがオブジェクト情報と共に読み出され（ステップＳ１）、プリンタドライバによって印字データの作成が行われる（ステップＳ３）。
【００２７】
次いで、先頭ラインから文字コードが順次指定され、そのオブジェクト情報のうちの文字属性からピクセルデータが読み出され、フォントサイズの判定が行われる（ステップＳ５）。フォントサイズが８ポイントより大きい文字であれば（ステップＳ７）、そのままレーザ素子により出力される（ステップＳ１５）。
【００２８】
一方、フォントサイズが８ポイント以下の文字であれば（ステップＳ９）、続いて、レーザパワーの標準値からの変更の有無が判断される（ステップＳ１１）。レーザパワーが標準値であって変更されていないのであれば（ステップＳ１１でＮＯ）、そのままレーザ素子に出力される。一方、レーザパワーが標準から変更されていれば（ステップＳ１１でＹＥＳ）、レーザ変調、すなわちデューティーの変更が指示されて（ステップＳ１３）、レーザ素子により出力される。より詳細には、レーザパワーが標準値を超えている場合、デューティーが減少され、レーザパワーが標準値より低い場合には、デューティーが増大される。
【００２９】
このように、文字フォントのサイズが小サイズ、例えば８ポイント以下の場合であって、レーザパワーが標準値とは異なる場合、すなわち線が太くなるようにレーザパワーを増大させると濃度が上がって線が太くなると共に、小サイズの文字についてはデューティーをダウンさせたので文字のつぶれが抑制される。また、線が細くなるようにレーザパワーを低下させると、大サイズの文字については濃度が下がって線が識別容易になると共に、小サイズの文字についてはデューティーをアップさせたので、その分、文字の細りがなくなってカスレの発生が抑制される。この結果、何れの場合にも小サイズの文字の再現性が向上し、適正な再現性が確保される。
【００３０】
図５の第２実施形態を示す「印字処理ＩＩ」において、ある文書ファイルに対して印字指令が発生すると、当該文書ファイルを作成したアプリケーションが読み出されて、対象の文書ファイルがオブジェクト情報と共に読み出され（ステップＳ２１）、プリンタドライバによって印字データの作成が行われる（ステップＳ２３）。
【００３１】
次いで、先頭ラインから、図形コードが指定され、対応付けられているオブジェクト情報のうちの文字属性からピクセルデータが読み出され、抜き線／線の線幅のサイズの判定が行われる（ステップＳ２５）。線幅が２ピクセルト（＝２ドット）より大きければ（ステップＳ２７）、そのままレーザ素子により出力される（ステップＳ３５）。
【００３２】
一方、線幅が２ピクセル以下であれば（ステップＳ２９）、続いて、レーザパワーの標準値からの変更の有無が判断される（ステップＳ３１）。レーザパワーが標準値であって変更されていないのであれば（ステップＳ３１でＮＯ）、そのままレーザ素子により出力される。一方、レーザパワーが標準から変更されていれば（ステップＳ３１でＹＥＳ）、レーザ変調、すなわちデューティーの変更が指示されて（ステップＳ３３）、レーザ素子により出力される。より詳細には、レーザパワーが標準値を超えた場合、デューティーが減少され、レーザパワーが標準値より低い場合には、デューティーが増大される。
【００３３】
このように、図形等の線幅が所定値、例えば２ピクセル以下の場合であって、レーザパワーが標準値とは異なる場合、すなわちレーザパワーを増大させた場合には線が太くなると共に、抜き線については抜き線の隣接ピクセルのデューティーを抑制したことで線の抜けの発生が抑制される。また、線が細くなるようにレーザパワーを低下させると、濃度が下がって線が識別容易になると共に、幅狭の線等の途切れの発生が抑制される。この結果、何れの場合にも狭幅の線画の再現性が向上し、適正な再現性が確保される。なお、抜き線の隣接ピクセルの抽出は、抜き線のピクセル情報から得ることが可能である。
【００３４】
また、図５の「印字処理ＩＩ」は、「抜き文字」に対しても同様に適用可能となる。図６に示すように、レーザパワーが標準値より高い（濃度を上げる処理の）場合、例えば抜き文字「ｑ」の文字フォントの情報から、周囲の、すなわち隣接するピクセルを抽出し、抽出した隣接ピクセルに対してデューティー制御を行う。かかるデューティー制御処理はデューティー調整部１０４によって行われる。「Ｄｕｔｙ制御無し」で印字された文字は、右上に示すように、線は細り、抜き文字の再現性が変化している。一方、「Ｄｕｔｙ制御有り」で印字された文字は、元の抜き文字に比して、右下に示すように、抜き文字の再現性が維持されている。
【００３５】
また、図７に示すように、レーザパワーが標準値より低い（濃度を下げる処理の）場合、図６と同一の抜き文字「ｑ」の文字フォントから、周囲の、すなわち隣接するピクセルを抽出し、抽出した隣接ピクセルに対してデューティー制御を行う。「Ｄｕｔｙ制御無し」で印字された文字は、右上に示すように、抜き文字の再現性が変化している。一方、「Ｄｕｔｙ制御有り」で印字された文字は、元の抜き文字に比して、右下に示すように、抜き文字の再現性が維持されている。
【００３６】
次に、図８〜図１３の視認性評価の試験結果について説明する。まず、図８では、レーザパワー（ＬＤＰ）を標準値に対してアップ、ダウンさせたときの、各サイズの文字フォントの視認性（再現性）の評価結果を示している。文字フォントのサイズとして、４ポイント、６ポイント、８ポイント、１０ポイントを対象とした。
【００３７】
図８（ａ）に示すように、４ポイント、６ポイント、８ポイントの文字フォントに対して、デフォルト（８０％）のデューティーで、ＬＤＰを標準値よりアップさせて印字した場合の比較例１Ａでは、「×：文字がつぶれる」という評価結果が得られた。一方、同条件で、ＬＤＰを標準値よりダウンさせて印字した場合の比較例２Ａでは、「×：文字がかすれる」という評価結果が得られた。なお、８ポイントの文字フォントでは、「△：文字がつぶれる」、「△：文字がかすれる」との評価結果であった。ここに、「×」評価は不良を示し、「△」評価は良好と不良の間である。
【００３８】
一方、比較例１Ａに対して、デューティーを２０％ダウン調整して印字させた実施例１Ａでは、何れの文字フォントのサイズに対しても、良好を示す「○」が得られた。同様に、比較例２Ａに対して、デューティーを２０％アップ調整して印字させた実施例２Ａでは、何れの文字フォントのサイズに対しても、良好を示す「○」が得られた。従って、文字フォントのサイズが８ポイント以下の場合では、ＬＤＰをアップさせた場合に、デューティーを所定量、ここでは２０％ダウン調整することで文字のつぶれの発生が抑制され、一方、ＬＤＰをダウンさせた場合に、デューティーを所定量、ここでは２０％アップ調整することで文字のかすれの発生が抑制されることが分かる。
【００３９】
これに対して、図８（ｂ）に実施例３Ａ，４Ａで示す、文字フォントのサイズが１０ポイントでのＬＤＰのアップ、ダウン時には、デフォルトのデューティーを調整することなく、文字のつぶれ及びかすれを生じることなく、良好に再現できたことが確認できている。
【００４０】
以上のことから、文字フォントのサイズが８以下（９未満）では、ＬＤＰのアップ、ダウンに対応させてデューティーを所定量だけダウン、アップさせることによって視認性（再現性）が確保されるといえる。
【００４１】
図９では、レーザパワー（ＬＤＰ）を標準値に対してアップ、ダウンさせたときの、各サイズの文字フォントを「抜け文字」で表した場合の視認性（再現性）の評価結果を示している。文字フォントのサイズとして、４ポイント、６ポイント、８ポイント、１０ポイントを対象とした。
【００４２】
図９（ａ）に示すように、４ポイント、６ポイント、８ポイントの文字フォントに対して、デフォルト（８０％）のデューティーで、ＬＤＰを標準値よりアップさせて印字した場合の比較例１’Ａでは、「×：抜き文字がつぶれる」という評価結果が得られた。一方、同条件で、ＬＤＰを標準値よりダウンさせて印字した場合の比較例２’Ａでは、「×：抜き文字の形状が変化する」という評価結果が得られた。なお、８ポイントの文字フォントでは、「△」の評価結果であった。
【００４３】
一方、比較例１’Ａに対して、デューティーを２０％ダウン調整して印字させた実施例１’Ａでは、何れの文字フォントのサイズに対しても、良好を示す「○」が得られた。同様に、比較例２’Ａに対して、デューティーを２０％アップ調整して印字させた実施例２’Ａでは、何れの文字フォントのサイズに対しても、良好を示す「○」が得られた。従って、文字フォントのサイズが８ポイント以下の抜け文字の場合では、ＬＤＰをアップさせた場合に、デューティーを所定量、ここでは２０％ダウン調整することで抜け文字のつぶれの発生が抑制され、一方、ＬＤＰをダウンさせた場合に、デューティーを所定量、ここでは２０％アップ調整することで抜け文字の形状の変化が抑制されることが分かる。
【００４４】
これに対して、図９（ｂ）に実施例３’Ａ，４’Ａで示す、文字フォントのサイズが１０ポイントの抜け文字でのＬＤＰのアップ、ダウン時には、デフォルトのデューティーを調整することなく、抜け文字のつぶれ及び形状変化を生じることなく、良好に再現できたことが確認できている。
【００４５】
以上のことから、抜け文字の場合でも、文字フォントのサイズが８以下（９未満）では、ＬＤＰのアップ、ダウンに対応させてデューティーを所定量だけダウン、アップさせることによって視認性（再現性）が確保されるといえる。
【００４６】
図１０では、レーザパワー（ＬＤＰ）を標準値に対してアップ、ダウンさせたときの、線、斜め線、抜き線である各線画の視認性（再現性）の評価結果を示している。線画の線幅は１ラインを対象とした。
【００４７】
図１０（ａ）に示すように、１ラインが線幅２ピクセルで描画されている線、斜め線に対して、デフォルト（８０％）のデューティーで、ＬＤＰを標準値よりダウンさせて印字した場合の比較例１Ｂでは、「×：線が欠ける」という評価結果が得られた。一方、同条件で、ＬＤＰを標準値よりアップさせて印字した場合の実施例１Ｂでは、良好を示す「○」という評価結果が得られた。
【００４８】
一方、比較例１Ｂに対して、デューティーを２０％アップ調整して印字させた実施例２Ｂでは、線、斜め線のいずれも、良好を示す「○」が得られた。従って、線、斜め線の線幅が１ライン以下の場合、ＬＤＰをダウンさせた場合に、デューティーを所定量、ここでは２０％アップ調整することで、線が欠けるのが抑制されることが分かる。
【００４９】
図１０（ｂ）に示すように、１ラインが線幅２ピクセルで描画されている抜き線に対して、デフォルト（８０％）のデューティーで、ＬＤＰを標準値よりアップさせて印字した場合の比較例２Ｂでは、「×：抜けが悪い」という評価結果が得られた。一方、同条件で、ＬＤＰを標準値よりダウンさせて印字した場合の実施例４Ｂでは、良好を示す「○」という評価結果が得られた。
【００５０】
一方、比較例２Ｂに対して、デューティーを２０％ダウン調整して印字させた実施例３Ｂでは、良好を示す「○」が得られた。従って、抜き線の線幅が１ライン以下の場合、ＬＤＰをアップさせた場合に、デューティーを所定量、ここでは２０％ダウン調整することで、線が欠けるのが抑制されることが分かる。
【００５１】
以上のことから、線及び斜め線の線幅が１ライン以下では、ＬＤＰのダウンに対応させてデューティーを所定量だけアップさせることによって、また、抜き線の線幅が１ライン以下では、ＬＤＰのアップに対応させてデューティーを所定量だけダウンさせることによって視認性（再現性）が確保されるといえる。
【００５２】
次に、第３実施形態における評価結果を示す図１１〜図１３において、まず図１１は、レーザ素子に代えて、発光ダイオード（ＬＥＤ素子：Light Emitting Diode）を適用した場合の、図８に対応する評価実験の結果を示すものである。図１１は、図８と同一の評価結果であり、相違する点は、ＬＥＤ素子の特性から、レーザ素子に比べて、デューティーのアップ、ダウン調整量として１５％が好ましいとの結果を得ている。
【００５３】
図１２は、レーザ素子に代えて、発光ダイオード（ＬＥＤ素子：Light Emitting Diode）を適用した場合の、図９に対応する評価実験の結果を示すものである。図１２は、図９と同一の評価結果であり、相違する点は、ＬＥＤ素子の特性から、レーザ素子に比べて、デューティーのアップ、ダウン調整量として１５％が好ましいとの結果を得ている。
【００５４】
図１３は、レーザ素子に代えて、ＬＥＤ素子を適用した場合の、図１０に対応する評価実験の結果を示すものである。図１３は、図１０と同一の評価結果であり、相違する点は、ＬＥＤ素子の特性から、レーザ素子に比べて、デューティーのアップ、ダウン調整量として１５％が好ましいとの結果を得ている。
【００５５】
なお、レーザパワーの標準値からの変更設定は、作業者からの操作指示の他、自動的に、例えば印字のためのデータ処理途中に、より好ましい濃度を決定するステップ乃至は動作を実行する回路部を設け、決定した濃度値について、判定部１０３による決定濃度と標準値との異同判定を行うようにしてもよい。
【００５６】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５７】
１  レーザ走査ユニット
１０  画像形成部
９０  プリンタ回路部
１００  プリンタ制御部
１０１  オブジェクト情報取得部
１０２レーザパワー取得部
１０３  判定部（判定手段）
１０４デューティー調整部（変更手段）
１１０  操作部（濃度設定手段）
【図１】
0006595289.tif 000002
【図２】
0006595289.tif 000003
【図３】
0006595289.tif 000004
【図４】
0006595289.tif 000005
【図５】
0006595289.tif 000006
【図６】
0006595289.tif 000007
【図７】
0006595289.tif 000008
【図８】
0006595289.tif 000009
【図９】
0006595289.tif 000010
【図１０】
0006595289.tif 000011
【図１１】
0006595289.tif 000012
【図１２】
0006595289.tif 000013
【図１３】
0006595289.tif 000014